(57)【要約】      （修正有）【課題】屋外に配置されていても外光、特に太陽光が直接に入射して読取素子を劣化させることがなくなり、読取素子の寿命も長くでき、伝票に記録されている釣銭額に関するデータを正確に読取ることができ、正しい釣銭の支払いができる給油所の釣銭支払い装置を提供する。【解決手段】給油所に設置される給油所機器１０を料金前払いで使用したときに、その給油所機器１０で印字される釣銭額に関するデータを含む伝票を読取るシート読取機３３と、釣銭を紙幣あるいは硬貨により放出する釣銭放出機４１，４２とを本体ケース３１に設け、屋外に配置された給油所の釣銭支払い装置において、シート読取機３３の本体ケース３１の表面に形成された伝票の読取口４５には、外光の進入を防ぐ遮光部が設けられている。【選択図】図１
2004318211.tif 000002
【特許請求の範囲】
【請求項１】
給油所に設置される給油所機器を料金前払いで使用したときに、その給油所機器で印字される釣銭額に関するデータを含む伝票を読取るシート読取機と、釣銭を紙幣あるいは硬貨により放出する釣銭放出機とを本体ケースに設け、屋外に配置された給油所の釣銭支払い装置において、
前記シート読取機の本体ケースの表面に形成された伝票の読取口には、外光の進入を防ぐ遮光部が設けられていることを特徴とする給油所の釣銭支払い装置。
【請求項２】
前記遮光部は、前記本体ケースに設けられ人体を検知する人体センサの検知信号により前記読取口を開閉するシャッタを駆動するシャッタ駆動部を有することを特徴とする請求項１記載の給油所の釣銭支払い装置。
【請求項３】
前記遮光部は、前記読取口の上部側を覆う筒形状に形成され、その下部側に伝票を手で挿入するための挿入口が設けられたカバー部であることを特徴とする請求項１記載の給油所の釣銭支払い装置。
【発明の詳細な説明】
【０００１】
【発明の属する技術分野】
本発明は、前払いによる使用が可能になる給油装置等の給油所機器における釣銭の放出を行う給油所の釣銭支払い装置に関するものである。
【０００２】
【従来の技術】
従来、セルフサービス等による給油装置において、一定の金額を投入することで給油が可能になり、給油終了後に釣銭がある場合には、給油装置に設けられた伝票発行手段により釣銭額に関するデータを含む給油伝票を発行し、事務所近傍の屋外等に設置された釣銭支払い機のデータ読取り機により給油伝票のデータを読取り、真正な給油者に対してのみ釣銭を支払う給油装置が提案されている（例えば、特許文献１を参照）。
【０００３】
【特許文献１】
特許第３３２２２８７号公報（第２〜３ページ、第１〜７図）
【発明が解決しようとする課題】
従来の給油所における釣銭支払い装置は、複数の給油装置等の給油所機器に対して、それぞれの機器を使用した者に対して釣銭の支払いができるように、事務所近傍の屋外等に設置されている。そのため、データ読取り機の読取り口から外光、特に、太陽光が直接入射したときには、読取素子が劣化し易く寿命が短くなり、給油伝票の釣銭に関するデータを正確に読取れないで正しい釣銭の支払いができないおそれがあった。
【０００４】
本発明は上記事情に鑑みなされたもので、前払いにより給油所機器を使用したときに発行される伝票に記録されている釣銭額に関するデータを正確に読取ることができ、正しい釣銭の支払いができ、読取素子の寿命も長くできる給油所における釣銭支払い装置を提供することを目的とする。
【０００５】
【課題を解決するための手段】
上記目的を達成するために請求項１に記載の発明にあっては、給油所に設置される給油所機器を料金前払いで使用したときに、その給油所機器で印字される釣銭額に関するデータを含む伝票を読取るシート読取機と、釣銭を紙幣あるいは硬貨により放出する釣銭放出機とを本体ケースに設け、屋外に配置された給油所の釣銭支払い装置において、前記シート読取機の本体ケースの表面に形成された伝票の読取口には、外光の進入を防ぐ遮光部が設けられていることを特徴とするものである。シート読取機の読取口に遮光部が設けられていることで、屋外に配置されていても外光、特に太陽光が直接に入射して読取素子を劣化させることがなくなり、読取素子の寿命も長くでき、伝票に記録されている釣銭額に関するデータを正確に読取ることができ、正しい釣銭の支払いができる。
【０００６】
請求項２に記載の発明にあっては、前記遮光部は、前記本体ケースに設けられ人体を検知する人体センサの検知信号により前記読取口を開閉するシャッタを駆動するシャッタ駆動部を有することを特徴とするものである。人体センサの顧客の検知信号に基づいて読取口に設けたシャッタを開閉するため、使用するときのみに読取口を開き、使用しないときに読取口を閉じるため、自動的に外光の入射を防ぎ読取素子の寿命を長くし、正しい釣銭の支払いができる。
【０００７】
請求項３に記載の発明にあっては、前記遮光部は、前記読取口の上部側を覆う筒形状に形成され、その下部側に伝票を手で挿入するための挿入口が設けられたカバー部であることを特徴とするものである。簡単な構造のカバー部を設けることで読取口に入射する光の進入を防ぐことができる。
【０００８】
【発明の実施の形態】
以下、本発明を図示の一実施形態により具体的に説明する。図１〜図６は本発明第１実施形態の釣銭支払い装置を説明する図であり、図１は釣銭支払い装置の斜視図、図２は給油所の機器構成を説明する図、図３は給油所の機器構成のブロック図、図４は釣銭支払い装置のデータ読取り機部分の正面図、図５は図４に示すデータ読取り機部分のＡ―Ａ線断面図、図６は給油伝票である領収書を示す図である。
【０００９】
本実施形態において、給油所の敷地１には、給油所機器として、例えば、セルフサービス式の給油装置１０と、事務所内等に配置されたＰＯＳ端末装置３０と、給油装置１０を前払いで使用したときに発行される伝票に記録されている釣銭額に関するデータを読取り、釣銭を支払うための釣銭支払い装置４０が事務所近傍の屋外に配置されている。
【００１０】
給油装置１０は、例えば、地上設置型の装置であり、給油所の敷地１に立設される給油装置本体１１の下部側には、給油モータ２２により駆動される燃料供給用の給油ポンプを有する給油機構が収納されている。この給油機構には、先端に給油ノズル１３を有する給油ホース１２が接続され、給油装置本体１１の上部側から吊下げられている。給油ノズル１３は、給油装置本体１１の正面操作側に取付けられたノズル掛け１４に掛けられている。このノズル掛け１４の近傍には、給油ノズル１３の掛け外しを検知するためのノズルスイッチ１５が取付けられている。ノズル掛け１４上部の給油装置本体１１の正面側は、操作パネル部に形成されており、そのパネル部表面の左側に給油量や油種等の給油データあるいは料金支払方法を選択するとともに、そのデータを表示したり給油案内を行うタッチパネル１６、中央に給油装置１０を前払いで使用する場合に挿入される紙幣等の金額を読取る金額読取り機１７、クレジットカード等のカードを読取るカードリーダ１８、給油伝票等の領収書を発行するためのプリンタ１９、右側に給油機構により供給される燃料油の給油量を表示する表示器２１が取付けられている。また、給油装置本体１１内には、各部の機器を制御し、給油設定データや給油データ及び料金精算に関するデータとともに釣銭に関連するデータをＰＯＳ端末装置３０へ送信する給油制御装置２０が設けられている。
【００１１】
給油装置１０を前払いで使用するために金額読取り機１７に紙幣を挿入し、給油終了後にプリンタ１９により印字されるシート状の領収書の伝票には、例えば、図６に示すように、１，０００円札を挿入し単価が１００円のハイオクガソリンを５００円分給油したとき、それぞれの設定データや消費税等のデータが印字されるとともに、「合計  ￥５２５」、「（内消費税）  ￥２５」、「お預り  ￥１，０００」、「お釣り  ￥４７５」等が印字され、その下部には「お釣り引換券」とお預かり及びお釣の金額が印字され、その下部には釣銭額に関するデータとして給油装置番号及び何番目に使用したかを示す顧客番号がバーコードにより印字されている。このバーコードは、後に詳細に説明する釣銭支払い装置４０により読取られる部分である。なお、給油装置１０には、カードリーダ１８が取付けられ、クレジットカード等により給油料金の精算ができるものであるが、本実施形態では、カードを使用しないで前払いで使用する場合に釣銭の支払いができるようにしたものである。
【００１２】
ＰＯＳ端末装置３０は、給油所の事務所内等に配置され、給油所機器である給油装置１０及び釣銭支払い装置３０に接続されている。このＰＯＳ端末装置３０は、給油制御装置２０から送信されてくる給油設定データや給油データ等に基づいて給油所全体の販売情報管理を行い、また、同様に給油制御装置２０から送信されてくる前払いで使用したときの給油装置番号、顧客番号及び釣銭額等のデータと、後に説明する釣銭支払い装置３９から送信されてくる同様に釣銭額に関する読取りデータとを比較し、真正な使用者であるときに釣銭額に関するデータを釣銭支払い装置３９へ送信するための処理を行う部分である。
【００１３】
釣銭支払い装置４０は、給油所機器を前払いで使用したときに釣銭を支払う装置で、給油所の事務所近傍の屋外に配置されており、箱型に形成された本体ケース３１には、上部及び左右側面を覆うフード４４が取付けられている。本体ケース３１の正面の操作側は、中央部がやや斜め手前に傾斜した傾斜面３２を有しその下部側が垂直面で、全体としてやや前方に突出された形状に形成され、フード４４により上部及び左右側面側が覆われている。本体ケース３１の正面上部には、釣銭支払いを行うための「自動精算機」であることが表示され、その下部の傾斜面３２には、右側にシート読取機３３、その左側に事務所内の事務員と連絡するためのインタホン３４が設けられ、シート読取機３３とインタホン３４との間には、領収書である伝票を精算のために読取るための「精算券」と矢印とが表示されている。傾斜面３２の下部の垂直面には、釣銭支払機を構成する紙幣を排出す紙幣支払機４１、及びその下部に硬貨を放出する硬貨支払機４２が設けられている。
【００１４】
シート読取機３３は、給油所機器である給油装置１０のプリンタ１９で印字された領収書の釣銭に関連するデータとしてバーコードを読取るものであり、傾斜面３２に形成された読取口４５に読取素子３３ａを臨ませて取付けられている。また、シート読取機３３の近傍には、読取口４５の開口を開閉するためのシャッタ３７を駆動するシャッタ駆動部３６が設けられている。シート読取機３３下部側の本体ケース３１の垂直面には、人体を検知する人体センサ３８が取付けられている。
【００１５】
また、金銭支払い装置３０の本体ケース３１内には、ＰＯＳ端末装置４０に接続された釣銭制御装置３９が収納されている。この釣銭制御装置３９は、人体センサ３８の検知信号に基づいてシャッタ駆動部３６の動作を制御し、シート読取機３３が読取った釣銭に関するデータを受信したとき、ＰＯＳ端末装置３０へそのデータを送信し、真正の使用者である釣銭額を含むデータを受信したとき、釣銭放出機である紙幣支払機４１あるいは硬貨支払機４２から釣銭を放出する動作を制御する部分である。
【００１６】
次に、給油装置１０、ＰＯＳ端末装置３０及び金銭支払い装置４０の動作を説明する。図７は給油装置の動作を説明するフローチャート、図８はＰＯＳ端末装置の動作を説明するフローチャート、図９は釣銭支払い装置の動作を説明するフローチャートである。
【００１７】
図７に示すように、まず、給油装置１０において顧客がタッチパネル１６で給油設定を行い（ＳＴ１）、続いて現金により前払いで給油を行うために紙幣を挿入して金額読取り機１７により金額を読取ったときに（ＳＴ２）、給油制御装置２０の制御のもとに給油が可能な状態になる。次に、顧客が給油ノズル１３をノズル掛け１４から外してノズルスイッチ１５がオンし（ＳＴ３）、ノズルレバーを引いて給油が行われ表示器２１には給油量が表示される（ＳＴ４）。給油が終了してノ給油ノズル１３をノズル掛け１４に掛けてノズルスイッチ１５がオフすると（ＳＴ５）、給油データ及び釣銭がある場合等における給油装置番号、何番目の顧客であるかの顧客番号、釣銭額を含む精算データ等がＰＯＳ端末装置３０へ送信し（ＳＴ６）、プリンタ１９で領収書の伝票発行を行う（ＳＴ７）。ＰＯＳ端末装置３０では、図８に示すように、給油装置１０から送信される給油データ及び精算データを受信し（ＳＴ１１）、後に顧客が釣銭支払い装置４０で釣銭支払いの処理が行われるのを待つ。
【００１８】
次に、図９に示すように、顧客が給油装置１０において領収書である伝票を受取った後に、釣銭がある場合に釣銭支払い装置４０に近づき、人体センサ３８が顧客の人体を検知したとき（ＳＴ２１）、釣銭制御装置３９の制御のもとにシャッタ駆動部３６がシャッタ３７を駆動して読取口４５が開く（ＳＴ２２）。次に、顧客は、領収書である発行伝票を手で持って、読取口４５にバーコード等の釣銭に関するデータが記録された領域を臨ませると、シート読取機３３が伝票のバーコードを読取り（ＳＴ２３）、その読取データをＰＯＳ端末装置３０へ送信する（ＳＴ２４）。図８に示すように、ＰＯＳ端末装置３０では、読取データを受信したとき（ＳＴ１２）、予め給油装置１０から送信されてきた給油装置番号や顧客番号と読取データとを比較して真正の顧客であるときに釣銭データを釣銭支払い装置４０へ送信する（ＳＴ１３）。次に、図９に示すように、釣銭支払い装置４０がＰＯＳ端末装置３０から釣銭データを受信したとき（ＳＴ２５）、釣銭制御装置３９の制御のもとに釣銭放出機を構成する紙幣支払機４１あるいは硬貨支払機４２から釣銭を放出し（ＳＴ２６）、続いて、シャッタ駆動部３６がシャッタ３７を駆動して読取口４５を閉じる（ＳＴ２７）。顧客は、紙幣支払機４１あるいは硬貨支払機４２に放出された釣銭を受取る。
【００１９】
上記構成によれば、給油装置１０を前払いで使用し手給油終了後に、プリンタ１９で印字される領収書である伝票には、釣銭がある場合に釣銭に関連するデータがバーコードで印字される。この領収書を受取り、釣銭がある場合に事務所近傍の屋外に配置された釣銭支払い装置４０に近づき、人体センサ３８が顧客を検知したとき、シャッタ駆動部３６がシャッタ３７を駆動して読取口４５を開き、顧客が領収書を手で持って読取口４５にバーコードが印字された領域を臨ませると、シート読取機３３がバーコードを読取りＰＯＳ端末装置３０へ送信し、ＰＯＳ端末装置３０からは真正な顧客であるときに釣銭額が送信され紙幣支払機４１あるいは硬貨支払機４２から放出され、その後にシャッタ駆動部３６がシャッタ３７を駆動して読取口４５が閉じ、顧客は釣銭を受取ることができる。釣銭支払い装置４０は、事務所近傍の屋外に配置されていても、シート読取機３３の読取口４５は、人体センサ３８により顧客を検知したときにシャッタ３７が開き、紙幣支払機４１あるいは硬貨支払機４２から釣銭を放出した後にシャッタ３７が閉じるため、屋外であっても使用しないときには外光、特に太陽光が読取口４５から進入して読取素子３３ａに当たることがなくなり、劣化を防止して寿命を長くでき、伝票に記録されている釣銭額に関するデータを正確に読取ることができ、正しい釣銭の支払いできる。
【００２０】
図１０及び図１１は本発明第２実施形態の釣銭支払い装置を説明する図であり、図１０は釣銭支払い装置のデータ読取り機部分の正面図、図１１は図１０に示すデータ読取り機部分のＢ―Ｂ線断面図である。なお、第１実施形態に対応する部分は同一の符号を記し詳細の説明を省略する。
【００２１】
本実施形態では、釣銭支払い装置５０における傾斜面３２の読取口４５の上部側には、カバー部３５が取付けられている。このカバー部３５は、読取口４５の上部側を覆うほぼ半円筒形状に形成されており、その下部側のカバー部３５と傾斜面３２とで領収書を手で挿入するための挿入口４３が設けられている。このカバー部３５の上面は、領収書を手で持って挿入することを説明する絵が表示されている。この実施形態では、人体センサ３８、シャッタ駆動部３６及びシャッタ３７が設けられてなく、釣銭制御装置３９もシャッタ動作の制御を行わないものである。その他の構成は第１実施形態と同様である。
【００２２】
上記構成の釣銭支払い装置５０では、読取口４５の上部側を覆うカバー部３５が取付けられているため、外光、特に太陽光が直接に読取口４５から進入して読取素子３３ａに当たることがなくなり、劣化を防止して寿命を長くでき、伝票に記録されている釣銭額に関するデータを正確に読取ることができ、正しい釣銭の支払いできる。本実施形態では、自動的に開閉させる機構を必要とせずに簡単に遮光することができる。
【００２３】
なお、上記実施形態において、給油所に設置されている給油装置１０を前払いで使用した場合について説明したが、例えば、給油所に設置されている洗車装置等の給油所機器を使用する場合にも適用できる。
【００２４】
【発明の効果】
以上説明したように本発明の給油所の釣銭支払い装置では、給油所に設置される給油所機器を料金前払いで使用したときに、その給油所機器で印字される釣銭額に関するデータを含む伝票を読取るシート読取機と、釣銭を紙幣あるいは硬貨により放出する釣銭放出機とを本体ケースに設け、屋外に配置された給油所の釣銭支払い装置において、シート読取機の本体ケースの表面に形成された伝票の読取口には、外光の進入を防ぐ遮光部が設けられていることで、屋外に配置されていても外光、特に太陽光が直接に入射して読取素子を劣化させることがなくなり、読取素子の寿命も長くでき、伝票に記録されている釣銭額に関するデータを正確に読取ることができ、正しい釣銭の支払いができる。
【図面の簡単な説明】
【図１】本発明第１実施形態の釣銭支払い装置の斜視図である。
【図２】本発明第１実施形態の給油所の機器構成を説明する図である。
【図３】本発明第１実施形態の給油所の機器構成のブロック図である。
【図４】本発明第１実施形態の釣銭支払い装置のデータ読取り機部分の正面図である。
【図５】本発明第１実施形態のデータ読取り機部分のＡ―Ａ線断面図である。
【図６】本発明第１実施形態の給油伝票である領収書を示す図である。
【図７】本発明第１実施形態の給油装置の動作を説明するフローチャートである。
【図８】本発明第１実施形態のＰＯＳ端末装置の動作を説明するフローチャートである。
【図９】本発明第１実施形態の釣銭支払い装置の動作を説明するフローチャートである。
【図１０】本発明第２実施形態の釣銭支払い装置のデータ読取り機部分の正面図である。
【図１１】本発明第２実施形態の図１０に示すデータ読取り機部分のＢ―Ｂ線断面図である。
【符号の説明】
１  敷地
１０  給油装置
１１  給油装置本体
１２  給油ホース
１３  給油ノズル
１４  ノズル掛け
１５  ノズルスイッチ
１６  タッチパネル
１７  金額読取り機
１８  カードリーダ
１９  プリンタ
２０  給油制御装置
２１  表示器
２２  給油モータ
３０  ＰＯＳ端末装置
３１  本体ケース
３２  傾斜面
３２  カバー
３３  シート読取機
３３ａ  読取素子
３４  インタホン
３５  カバー部
３６  シャッタ駆動部
３７  シャッタ
３８  人体センサ
３９  釣銭制御装置
４０，５０  釣銭支払い装置
４１  紙幣支払機
４２  硬貨支払機
４３  挿入口
４４  フード
４５  読取口
【図１】
2004318211.tif 000003
【図２】
2004318211.tif 000004
【図３】
2004318211.tif 000005
【図４】
2004318211.tif 000006
【図５】
2004318211.tif 000007
【図６】
2004318211.tif 000008
【図７】
2004318211.tif 000009
【図８】
2004318211.tif 000010
【図９】
2004318211.tif 000011
【図１０】
2004318211.tif 000012
【図１１】
2004318211.tif 000013